Podtech/llm-jp-corpus-v4-ja_patent huggingface dataset:
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
遠隔蛍光体式ＬＥＤ装置に使用するためのレンズ組立体であって、
外部表面及び内部表面を有するレンズ部材であり、前記外部表面は、前記内部表面と交差する光軸を規定するように湾曲している、レンズ部材と、
前記外部表面の少なくとも一部に取り付けられ、前記内部表面に隣接した基準面内の所与の光源点から発したＬＥＤ光を前記基準面内の所与の像点へと反射するように構成される二色性反射体と、
前記内部表面の少なくとも一部に取り付けられ、蛍光体光を放射するように適合されている蛍光体層と、
を含み、
前記二色性反射体は、前記蛍光体光を透過させるように適合され、
（ａ）前記蛍光体層は、前記内部表面の１つ以上の第１部分を被覆し前記内部表面の１つ以上の第２部分を露出させるようにパターン化され、前記所与の像点は、前記１つ以上の第１部分に隣接して配設され、前記所与の光源点は、前記１つ以上の第２部分に隣接して配設され、及び／又は（ｂ）前記蛍光体層は、前記内部表面に取外し可能に付着される、
レンズ組立体。
【請求項２】
遠隔蛍光体式ＬＥＤ装置の作製方法であって、
外部表面及び内部表面を有するレンズ部材を用意する工程であり、前記外部表面は、前記内部表面と交差する光軸を規定するように湾曲している、工程と、
前記外部表面の少なくとも一部に二色性反射体を取り付ける工程であり、前記二色性反射体は、前記内部表面に隣接した基準面内の所与の光源点から発したＬＥＤ光を前記基準面内の所与の像点へと反射するように構成される、工程と、
前記内部表面の少なくとも一部に蛍光体層を取外し可能に付着させる工程であり、前記蛍光体層は、前記内部表面の１つ以上の第１部分を被覆する１つ以上の第１部分、及び前記内部表面の１つ以上の第２部分を被覆する１つ以上の第２部分を含み、前記所与の像点は、前記内部表面の前記１つ以上の第１部分に隣接して配設され、前記所与の光源点は、前記内部表面の前記１つ以上の第２部分に隣接して配設される、工程と、
前記内部表面の前記１つ以上の第２部分を露出させるように前記蛍光体層をパターン化する工程と、
を含む、方法。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
超小型電子パッケージであって、
互いに反対側の第１の表面及び第２の表面と、前記第１の表面と前記第２の表面との間に延在する第１の開口部、第２の開口部及び第３の開口部とを有する基板であって、前記開口部は前記それぞれの開口部の長さの方向に延在する第１の軸、第２の軸及び第３の軸を有し、前記第１の軸及び前記第２の軸は互いに平行であり、前記第３の軸は前記第１の軸及び前記第２の軸を横切り、前記第２の表面は前記第１の軸と前記第２の軸との間に配置される中央領域を有する、基板と、
第１の超小型電子素子、第２の超小型電子素子及び第３の超小型電子素子であって、前記超小型電子素子はそれぞれ前記基板の前記第１の表面に面する表面と、前記開口部のうちの少なくとも１つと位置合わせされ、それぞれの前記超小型電子素子の前記表面における複数のコンタクトとを有し、各超小型電子素子はメモリ記憶アレイ機能を提供する能動素子の数をいかなる任意の他の機能よりも多く具体化する、第１の超小型電子素子、第２の超小型電子素子及び第３の超小型電子素子と、
前記第２の表面において、該第２の表面の前記中央領域内に露出する複数の端子であって、該端子は該超小型電子パッケージを該パッケージの外部にある少なくとも１つの構成要素に接続するように構成される、複数の端子と、
各超小型電子素子の前記コンタクトと前記端子との間に電気的に接続されるリードであって、各リードは前記開口部のうちの少なくとも１つと位置合わせされる部分を有する、リードと、
を備え、
前記端子は前記第１の超小型電子素子、前記第２の超小型電子素子又は前記第３の超小型電子素子のうちの少なくとも１つの超小型電子素子のメモリ記憶アレイの全ての利用可能なアドレス指定可能メモリ位置の中から、１つのアドレス指定可能メモリ位置を決定するのに該超小型電子パッケージ内の回路によって使用可能な十分なアドレス情報を運ぶように構成される、超小型電子パッケージ。
【請求項２】
請求項１に記載の超小型電子パッケージであって、前記端子は、前記アドレス指定可能メモリ位置を決定するのに該超小型電子パッケージ内の前記回路によって使用可能な前記アドレス情報の全てを運ぶように構成される、請求項１に記載の超小型電子パッケージ。
【請求項３】
請求項１に記載の超小型電子パッケージであって、前記端子は第１の端子であり、前記第２の表面は、前記中央領域と、前記基板の前記第１の表面と前記第２の表面との間に延在する対向する第１の縁部及び第２の縁部との間の周辺領域を有し、該超小型電子パッケージは、前記第２の表面において、前記周辺領域のうちの少なくとも１つの周辺領域内に露出した複数の第２の端子を更に備え、前記第２の端子は、該超小型電子パッケージを該パッケージの外部にある少なくとも１つの構成要素に接続するように構成される、請求項１に記載の超小型電子パッケージ。
【請求項４】
前記第２の端子のうちの少なくともいくつかは、前記アドレス信号以外の信号を運ぶように構成される、請求項３に記載の超小型電子パッケージ。
【請求項５】
請求項１に記載の超小型電子パッケージであって、該超小型電子パッケージにおける前記端子のうちの少なくともいくつか及び前記超小型電子素子のうちの１つ又は複数に電気的に接続されるバッファ素子を更に備え、前記バッファ素子は、該超小型電子パッケージの前記端子のうちの１つ又は複数で受け取られる少なくとも１つの信号の再生を行うように構成される、請求項１に記載の超小型電子パッケージ。
【請求項６】
前記端子は、それぞれ全て同じ信号を運ぶように構成された平行な第１のグリッド及び第２のグリッド内に配置され、第１のグリッド及び第２のグリッド内の端子の対応する端子の位置は、第１のグリッドと第２のグリッドとの間に位置する中間軸の回りで鏡像をなす、請求項１に記載の超小型電子パッケージ。
【請求項７】
請求項１に記載の超小型電子パッケージであって、前記基板は第４の開口部を有し、前記第４の開口部は、前記第１の軸及び前記第２の軸を横切り、前記第４の開口部の長さの方向に延在する第４の軸を有し、該超小型電子パッケージは、
前記基板の前記第１の表面に面する表面を有する第４の超小型電子素子であって、該第４の超小型電子素子はメモリ記憶アレイ機能を提供する能動素子の数をいかなる任意の他の機能よりも多く具体化し、該第４の超小型電子素子は前記開口部のうちの少なくとも１つと位置合わせされる複数のコンタクトを該第４の超小型電子素子の前記表面において有する、第４の超小型電子素子と、
前記第４の超小型電子素子の前記コンタクトと前記端子との間に電気的に接続される第２のリードであって、前記第２のリードはそれぞれ前記開口部のうちの少なくとも１つと位置合わせされる部分を有する、第２のリードと、
を更に備える、請求項１に記載の超小型電子パッケージ。
【請求項８】
請求項７に記載の超小型電子パッケージであって、前記第１の超小型電子素子、前記第２の超小型電子素子、前記第３の超小型電子素子及び前記第４の超小型電子素子はそれぞれ、前記それぞれの超小型電子素子の長さ方向に延在する対向する第１の縁部及び第２の縁部を有し、前記第１の縁部はそれぞれ、前記パッケージの質量中心に隣接する部分を有し、前記第１の縁部はそれぞれ、該超小型電子素子の他の超小型電子素子のうちの厳密に１つを通って延在する面を画定する、請求項７に記載の超小型電子パッケージ。
【請求項９】
前記第１の開口部、前記第２の開口部、前記第３の開口部及び前記第４の開口部のそれぞれの前記軸は、前記開口部の他の開口部のうちの厳密に１つの開口部を通って延在する、請求項７に記載の超小型電子パッケージ。
【請求項１０】
前記第１の軸、前記第２の軸、前記第３の軸及び前記第４の軸はそれぞれ、前記軸の他の軸のうちの厳密に２つの軸を通って延在する、請求項７に記載の超小型電子パッケージ。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
基地局装置に情報を送信する端末装置であって、
異なる時分割多重（ＴＤＤ；Time division duplex）上り下りリンク（ＵＬ−ＤＬ；uplink-downlink）構成を有する複数の在圏セルのＴＤＤキャリアアグリゲーションにおい
て、少なくともプライマリセルのＴＤＤ  ＵＬ−ＤＬ構成に基づいて、該在圏セル毎の参照ＵＬ−ＤＬ構成を確定し、該在圏セル毎の参照ＵＬ−ＤＬ構成に基づいて、該在圏セル毎の下りリンクアソシエーションセットを確定する操作部と、
前記在圏セル毎の下りリンクアソシエーションセットに基づいて、ＡＣＫ／ＮＡＣＫ情報を送信する送信部とを備えることを特徴とする端末装置。
【請求項２】
端末装置から情報を受信する基地局装置であって、
異なる時分割多重（ＴＤＤ；Time division duplex）上り下りリンク（ＵＬ−ＤＬ；uplink-downlink）構成を有する複数の在圏セルのＴＤＤキャリアアグリゲーションにおい
て、少なくともプライマリセルのＴＤＤ  ＵＬ−ＤＬ構成に基づいて、該在圏セル毎の参照ＵＬ−ＤＬ構成を確定し、該在圏セル毎の参照ＵＬ−ＤＬ構成に基づいて、該在圏セル毎の下りリンクアソシエーションセットを確定する操作部と、
前記在圏セル毎の下りリンクアソシエーションセットに基づいて送信されるＡＣＫ／ＮＡＣＫ情報を受信する受信部とを備えることを特徴とする基地局装置。
【請求項３】
端末装置の送信方法であって、
異なる時分割多重（ＴＤＤ；Time division duplex）上り下りリンク（ＵＬ−ＤＬ；uplink-downlink）構成を有する複数の在圏セルのＴＤＤキャリアアグリゲーションにおい
て、少なくともプライマリセルのＴＤＤ  ＵＬ−ＤＬ構成に基づいて、該在圏セル毎の参照ＵＬ−ＤＬ構成を確定するステップと、
前記在圏セル毎の参照ＵＬ−ＤＬ構成に基づいて、前記在圏セル毎の下りリンクアソシエーションセットを確定するステップと、
前記在圏セル毎の下りリンクアソシエーションセットに基づいて、ＡＣＫ／ＮＡＣＫ情報を送信するステップとを少なくとも含むことを特徴とする送信方法。
【請求項４】
基地局装置における受信方法であって、
異なる時分割多重（ＴＤＤ；Time division duplex）上り下りリンク（ＵＬ−ＤＬ；uplink-downlink）構成を有する複数の在圏セルのＴＤＤキャリアアグリゲーションにおい
て、少なくともプライマリセルのＴＤＤ  ＵＬ−ＤＬ構成に基づいて、該在圏セル毎の参
照ＵＬ−ＤＬ構成を確定するステップと、
前記在圏セル毎の参照ＵＬ−ＤＬ構成に基づいて、前記在圏セル毎の下りリンクアソシエーションセットを確定するステップと、
前記在圏セル毎の下りリンクアソシエーションセットに基づいて送信されるＡＣＫ／ＮＡＣＫ情報を受信するステップとを少なくとも含むことを特徴とする受信方法。
【手続補正２】
【補正対象書類名】明細書
【補正対象項目名】発明の名称
【補正方法】変更
【補正の内容】
【発明の名称】端末装置、基地局装置、送信方法および受信方法
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
駆動信号に対する非線形応答により特徴づけられるデバイスを駆動するのに適したデバイスドライバ回路であって、
デバイス非線形応答曲線に関連する補償されていない駆動信号（ｘｉ）を生成するように構成されるドライバ入力回路要素と、
前記補償されていない駆動信号（ｘｉ）を受け取るように構成され、関連する補償されたデバイス駆動曲線を有するパラメトリックベジェ関数Ｂ（ｔ）に基づいて対応する補償された駆動信号（ｙｏ）を生成するように構成される補償回路要素であって、前記Ｂ（ｔ）が、
前記補償されたデバイス駆動曲線上の（ｘｉ，ｙｏ）のための最小及び最大値にそれぞれ対応する固定された開始ポイントと固定された終了ポイントと、
Ｂ（ｔ）に従って前記補償された駆動信号（ｙｏ）を発生するために用いられ、座標（ｘｃ，ｙｃ）により特徴づけられる予め定義される制御ポイントＰ１と、
０から１の正規化された値に対応する範囲を有するパラメータｔと、
により特徴づけられ、
前記補償回路要素がパラメトリック関数と出力関数とを例示する補償算術論理を含み、
前記パラメトリック関数補償算術論理が、少なくとも（ｘｉ）と（ｘｃ）とに応答して、Ｂ（ｔ）に従って前記補償されたデバイス駆動曲線上に対応するパラメータｔの値を発生し、
前記出力関数補償算術論理が、少なくとも前記結果のパラメータｔの値と（ｙｃ）とに応答して、Ｂ（ｔ）に従って前記対応する補償された駆動信号ｙｏを発生する、
前記補償回路要素と、
前記補償された駆動信号（ｙｏ）に基づいて前記デバイスを駆動するように構成される、ドライバ出力回路要素と、
を含む、回路。
【請求項２】
請求項１に記載の回路であって、
前記パラメトリックベジェ関数が２つの制御ポイントＰ１とＰ２とを有する３次関数である、回路。
【請求項３】
請求項１に記載の回路であって、
前記補償された曲線がｘｉ＝２（１−ｔ）ｔｘｃ＋ｔ２及びｙｏ＝２（１−ｔ）ｔｙｃ＋ｔ２として表され得る、回路。
【請求項４】
請求項３に記載の回路であって、
前記パラメトリック関数補償算術論理が１つの乗算と１つの加算と１つの平方根と１つの減算と１つの除算とを含み、前記出力関数補償算術論理が２つの乗算と１つのシフトと１つの加算とを含む、回路。
【請求項５】
請求項１に記載の回路であって、
前記デバイスが少なくとも１つの発光ダイオード（ＬＥＤ）であり、前記補償されていない駆動信号（ｘｉ）が前記少なくとも１つのＬＥＤを駆動する順方向電流であり、前記デバイス非線形応答曲線がＬＥＤ輝度に対する人間の知覚応答に対応する、回路。
【請求項６】
請求項１に記載の回路であって、
前記補償されていない駆動信号（ｘｉ）と前記補償された駆動信号（ｙｏ）とが実質的に等しいビット精度を有するデジタル信号である、回路。
【請求項７】
請求項１に記載の回路であって、
前記補償回路要素が、制御ポイントＰ１座標（ｘｃ，ｙｃ）と座標（ｘｃ，ｙｃ）から導かれる１つ以上の定数ｋｎとを記憶する、回路。
【請求項８】
駆動信号に対する非線形応答により特徴づけられる発光ダイオード（ＬＥＤ）を駆動するのに適したＬＥＤドライバであって、
少なくとも１つのＬＥＤのためのＬＥＤ非線形応答曲線に関連する補償されていない駆動信号（ｘｉ）を生成するように構成されるドライバ入力回路要素と、
前記補償されていない駆動信号から前記少なくとも１つのＬＥＤのための補償された駆動信号を生成するように構成され、関連する補償されたデバイス駆動曲線を有するパラメトリックベジェ関数Ｂ（ｔ）に基づいて対応する補償された駆動信号（ｙｏ）を生成するように構成される補償回路要素であって、前記Ｂ（ｔ）が、
前記補償されたデバイス駆動曲線上の（ｘｉ，ｙｏ）のための最小及び最大値にそれぞれ対応する固定された開始ポイントと固定された終了ポイントと、
Ｂ（ｔ）に従って前記補償された駆動信号（ｙｏ）を発生するために用いられ、座標（ｘｃ，ｙｃ）により特徴づけられる予め定義される制御ポイントＰ１と、
０から１の正規化された値に対応する範囲を有するパラメータｔと、
により特徴づけられ、
前記補償回路要素がパラメトリック関数と出力関数とを例示する補償算術論理を含み、
前記パラメトリック関数補償算術論理が、少なくとも（ｘｉ）と（ｘｃ）とに応答して、Ｂ（ｔ）に従って前記補償されたデバイス駆動曲線上に対応するパラメータｔの値を発生し、
前記出力関数補償算術論理が、少なくとも前記結果のパラメータｔの値と（ｙｃ）とに応答して、Ｂ（ｔ）に従って前記対応する補償された駆動信号ｙｏを発生する、前記補償回路要素と、
前記補償された駆動信号を用いて前記少なくとも１つのＬＥＤを駆動するように構成されるドライバ出力回路要素と、
を含む、ＬＥＤドライバ。
【請求項９】
請求項８に記載のＬＥＤドライバであって、
前記パラメトリックベジェ関数が２つの制御ポイントＰ１とＰ２とを有する３次関数である、ＬＥＤドライバ。
【請求項１０】
請求項９に記載のＬＥＤドライバであって、
前記補償されていない駆動信号ｘｉと前記補償された駆動信号ｙｏとが実質的に同じビット精度を有するデジタル信号である、ＬＥＤドライバ。
【請求項１１】
請求項８に記載のＬＥＤドライバであって、
前記補償された曲線がｘｉ＝２（１−ｔ）ｔｘｃ＋ｔ２及びｙｏ＝２（１−ｔ）ｔｙｃ＋ｔ２として表され得る、ＬＥＤドライバ。
【請求項１２】
請求項８に記載のＬＥＤドライバであって、
前記パラメトリック関数補償算術論理が１つの乗算と１つの加算と１つの平方根と１つの減算と１つの除算とを含み、前記出力関数補償算術論理が２つの乗算と１つのシフトと１つの加算とを含む、ＬＥＤドライバ。
【請求項１３】
請求項８に記載のＬＥＤドライバであって、
前記補償されていない駆動信号（ｘｉ）が前記少なくとも１つのＬＥＤを駆動する順方向電流であり、前記デバイス非線形応答曲線がＬＥＤ輝度に対する人間の知覚応答に対応する、ＬＥＤドライバ。
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
放送システムにおける順方向誤り訂正（ＦＥＣ）パケット送信装置がＦＥＣパケットを送信する方法であって、
ＦＥＣパケット受信装置にＦＥＣ配信ブロックを送信するステップを含み、
前記ＦＥＣ配信ブロックは、ソースペイロード及びパリティペイロードを含み、
前記ソースペイロード及び前記パリティペイロードのそれぞれは、ペイロードヘッダを含み、
前記パリティペイロードのそれぞれが含むペイロードヘッダは、該当ペイロードの長さと関連した長さ情報を含むことを特徴とする方法。
【請求項２】
前記該当ペイロードがソースペイロードである場合、前記長さ情報は、前記ソースペイロードの長さが固定されるか又は可変するかを示す情報と関連した情報を含むことを特徴とする請求項１に記載の方法。
【請求項３】
前記該当ペイロードがソースペイロードである場合、前記長さ情報は、前記放送システムでサポートするモードに関連し、
前記モードでは、前記ソースペイロードの長さが固定されるか又は可変することを特徴とする請求項１に記載の方法。
【請求項４】
該当ペイロードがソースペイロードである場合、前記長さ情報は、前記放送システムで使用されるモードに関連し、
前記モードは、第１のモードと、第２のモードと、第３のモードを含み、
前記第１のモードでは、前記ソースペイロードの長さが固定され、
前記第２のモード及び第３のモードでは、前記ソースペイロードの長さが可変し、前記ソースペイロードのうち少なくとも一つがパディングデータを含むことを特徴とする請求項１に記載の方法。
【請求項５】
前記該当ペイロードがソースペイロードである場合、前記長さ情報は、前記ソースペイロードの個数を示す情報を含むことを特徴とする請求項１に記載の方法。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
直列「ＬＣ」回路を介して負荷に接続されたトランジスタ（Ｔ２）を備えるＦＥＴを有し、定電流源を介して供給電圧に接続され、共振コントローラを更に含むＥ級増幅器。
【請求項２】
前記共振コントローラは、ＡＣアプリケーションの電力制御を提供し、電源によって供給される入力インダクタの共振トラッキングシステムを含み、前記共振トラッキングシステムは、直列に２つの検出抵抗負荷を有する抵抗共振検出器を使用する請求項１に記載のＥ級増幅器。
【請求項３】
前記共振コントローラは、構成要素、基準電圧、共振センサおよび第１の入力電流センサを含む請求項２に記載のＥ級増幅器。
【請求項４】
前記共振コントローラは、接地への第１および第２の検出抵抗Ｒ５およびＲ１１である検出抵抗負荷を含み、第１の検出抵抗Ｒ５が接地に至り、第２の検出抵抗Ｒ１１が基準電圧の入力と比較して出力制御ドライブ信号を提供するように比較器に供給する２つの検出抵抗負荷の間で受信される入力インダクタＬ２のフィードバックを有する請求項２または３に記載のＥ級増幅器。
【請求項５】
前記共振コントローラは、２つのそれぞれの信号の電圧加算ノードを形成する前記第１および第２の検出抵抗負荷の配列を含み、接地への前記第１の検出抵抗Ｒ５は、入力のＤＣ変動を検出し、比較器に供給する前記第２の検出抵抗Ｒ１１は、ＡＣ変動を検出する請求項４に記載のＥ級増幅器。
【請求項６】
前記共振コントローラは、システム電力が制御されるようなＬ２の望ましい電流を追跡するための主要な役割を有する第１の検出抵抗Ｒ５を含む請求項１〜５のいずれか１項に記載のＥ級増幅器。
【請求項７】
前記共振コントローラは、Ｌ２のリップル電流により、前記検出抵抗負荷Ｒ５におけるリップル情報の使用を含む請求項４に記載のＥ級増幅器。
【請求項８】
前記共振コントローラは、整流されたＡＣ波形によりシステムに課される大きい電圧範囲にわたり、十分な信号強度を確保するためにリップル成分を増幅するために、Ｒ１１と組み合わせて第１の検出抵抗負荷Ｒ５を含む請求項４に記載のＥ級増幅器。
【請求項９】
前記共振コントローラは、システム力率の制御を可能にするために選択されたＲ１１およびＲ５の比を含む請求項８に記載のＥ級増幅器。
【請求項１０】
前記共振コントローラは、ＡＣ信号が十分になると、システム共振周波数をデジタルシステム待ち時間と一致させることを含む請求項４に記載のＥ級増幅器。
【請求項１１】
前記ＡＣ信号が十分になるとシステム共振周波数をデジタルシステム待ち時間と一致させることは、オプションの位相遅れＲＣフィルタを追加することによって達成される請求項１０に記載のＥ級増幅器。
【請求項１２】
前記比較器の出力において前記システム共振周波数を前記デジタルシステム待ち時間と一致させることは、デジタルセクションで実行される請求項１１に記載のＥ級増幅器。
【請求項１３】
システム共振制御は、１つの本線電圧半サイクルにわたる正確および定期的な動作１５を良好に保証し、システムが、高速、低損失の動作に優先するゼロ電圧スイッチ（ＺＶＳ）を行うことを可能とする請求項４に記載のＥ級増幅器。
【請求項１４】
電流のオーバーシュートにより抵抗負荷経由のフローが可能で、これによって過電流に対する停止手段またはブレーキが提供されるように、前記ブレーキ要素が前記ブレーキ回路のＦＥＴをオフにするような入力インダクタ供給のフィードバックの決定にしたがった、増幅器のＦＥＴの出力および増幅器のＦＥＴの入力のためのフィードバック回路におけるＦＥＴおよび抵抗負荷Ｒ３およびトランジスタＴ３の配置によって備えられるブレーキ要素を有する、ブレーキ回路を更に備える請求項１〜１３のいずれか１項に記載のＥ級増幅器。
【請求項１５】
ブレーキ回路スイッチングは、その他の信号制御を電源オフにした後にしか行われないので、過電流の可能性を回避する請求項１４に記載のＥ級増幅器。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
マルチメディアシステムにおける信号送信装置が順方向誤り訂正（ＦＥＣ）関連情報を送信する方法であって、
信号受信装置にＦＥＣパケットのためのＦＥＣ関連情報を送信するステップを含み、
前記ＦＥＣ関連情報は、ＦＥＣパケットブロックが少なくとも一つのＦＥＣパケットを含む場合、前記少なくとも一つのＦＥＣパケットに対する識別子関連情報を含み、
前記識別子関連情報は、ＦＥＣ符号化構造と関連した情報であることを特徴とする方法。
【請求項２】
前記ＦＥＣ関連情報は、前記少なくとも一つのＦＥＣパケットに対する識別子を含むことを特徴とする請求項１に記載の方法。
【請求項３】
前記ＦＥＣ符号化構造が第１のＦＥＣ符号化構造である場合、前記識別子関連情報は、前記少なくとも一つのＦＥＣパケットに対する識別子が前記第１のＦＥＣ符号化構造のためのものであることを示し、
前記ＦＥＣ符号化構造が第２のＦＥＣ符号化構造である場合、前記識別子関連情報は、前記少なくとも一つのＦＥＣパケットに対する識別子が前記第２のＦＥＣ符号化構造のためのものであることを示し、
前記ＦＥＣ符号化構造が第３のＦＥＣ符号化構造である場合、前記識別子関連情報は、前記少なくとも一つのＦＥＣパケットに対する識別子が前記第３のＦＥＣ符号化構造のためのものであることを示すことを特徴とする請求項２に記載の方法。
【請求項４】
前記少なくとも一つのＦＥＣパケットに対する識別子は、前記少なくとも一つのＦＥＣパケットのうち、最初に送信されるＦＥＣパケットである第１のＦＥＣパケットと関連した情報を含むことを特徴とする請求項３に記載の方法。
【請求項５】
前記信号送信装置及び信号受信装置は、１段階ＦＥＣ符号化構造をサポートすることを特徴とする請求項１に記載の方法。
【請求項６】
前記信号送信装置及び信号受信装置は、階層認識順方向誤り訂正（layer aware-LA-FEC）符号化構造をサポートすることを特徴とする請求項１に記載の方法。
【手続補正書】
【提出日】平成27年8月11日(2015.8.11)
【手続補正１】
【補正対象書類名】明細書
【補正対象項目名】００２６
【補正方法】変更
【補正の内容】
【００２６】
好ましい抗体は、ｓｃＦｖ断片またはＦ（ａｂ‘）２断片の形態で存在する。さらに好ましい抗体は、組換えにより製造され二つの異なるパラトープを含有する二重特異性抗体であって、そのパラトープのうちの一方は、ＰＳＣＡに対してであって、もう一方はＰＳＣＡに対してではない。その際、二重特異性抗体の他方のパラトープは、好ましくは、エフェクター細胞上の表面構造に対するか、または１０〜５０個のアミノ酸長のペプチド（好ましくは、ヒトＬａタンパク質の１０〜５０個アミノ酸長配列、特に好ましくは配列番号７５または配列番号７６によるアミノ酸配列の一つを有するペプチド）に対する。
【手続補正２】
【補正対象書類名】明細書
【補正対象項目名】００２７
【補正方法】変更
【補正の内容】
【００２７】
好ましくは、本発明による抗ＰＳＣＡ抗体（ナイーブ抗体または組換え抗体）はエフェクター群と共役している。共役とは、ここでは、ある物質、つまりエフェクター群の、抗体への結合を意味する。エフェクター群への抗体の結合は、好ましくは、融合タンパク質の形態での組換え発現によるか、またはｉｎ  ｖｉｔｒｏ法により製造され、ただし、エフェクター群は、好ましくは、化学リンカー群を介して抗体に結合される（例えば、チオエーテル結合またはジスルフィド結合を介して）。エフェクター群は、中間担体分子、例えば血清アルブミンを介して抗体に結合されていることも可能である。場合によっては、本発明による抗体は、複数のエフェクター群を含有する。その際、エフェクター群は、好ましくは、有効成分、ペプチド（１０〜１００個のアミノ酸長）、タンパク質（１００個超のアミノ酸長）、共刺激分子、色素、または造影剤から選択される。
【手続補正３】
【補正対象書類名】明細書
【補正対象項目名】００５３
【補正方法】変更
【補正の内容】
【００５３】
そのうち好ましい組み合わせは、
−５Ｂ９パラトープを含有する二重特異性抗ＰＳＣＡ抗体、および配列番号７５によるアミノ酸配列の一つに対して少なくとも９０％、好ましくは少なくとも９５％、特に好ましくは少なくとも９９％のアミノ酸配列同一性を有するペプチドを含有するもう一つの組換え抗体、または
−７Ｂ６パラトープを含有する二重特異性抗ＰＳＣＡ抗体、および配列番号７６によるアミノ酸配列の一つに対して少なくとも９０％、好ましくは少なくとも９５％、特に好ましくは少なくとも９９％のアミノ酸配列同一性を有するペプチドを含有するもう一つの組換え抗体である。
【手続補正４】
【補正対象書類名】明細書
【補正対象項目名】００９３
【補正方法】変更
【補正の内容】
【００９３】
組換え型ＣＤ３−ＰＳＣＡ抗体の特異的結合を検出するために、マウス抗ｃ−ｍｙｃ  ＩｇＧ−ＦＩＴＣ検出用抗体（ＡｂＤ  Ｓｅｒｏｔｅｃ社、デュッセルドルフ、ドイツ）を使用し、この検出用抗体を、最初の染色ステップ終了後に、抗ＰＳＣＡ抗体で標識されたＰＳＣＡ陽性細胞と３０分間、４℃においてインキュベーションした。陰性対照としては、そのなかでＰＳＣＡ陽性細胞が、検出用抗体であるマウス抗ｃ−ｍｙｃ  ＩｇＧ−ＦＩＴＣでのみ染色されたサンプルを用いて共に行った。これらの細胞を、ＢＤ  ＦＡＣＳ  Ｃａｌｉｂｕｒフローサイトメトリー（ＢＤ  Ｂｉｏｓｃｉｅｎｃｅｓ  Ｐｈａｒｍｉｎｇｅｎ社、ハイデルベルク、ドイツ）を用いて解析し、それらのデータをソフトウェアＷｉｎＭＤＩ  ２．８（Ｊｏｓｅｐｈ  Ｔｒｏｔｔｅｒ、ラホヤ、米国カリフォルニア州）を用いて評価した。
【手続補正５】
【補正対象書類名】特許請求の範囲
【補正対象項目名】請求項６
【補正方法】変更
【補正の内容】
【請求項６】
さらなる結合単位が、１０〜５０個のアミノ酸長のペプチド、好ましくは、１０〜５０個のアミノ酸長のヒトＬａタンパク質部分配列に対応するアミノ酸配列を有するペプチド、特に好ましくは、配列番号７５または配列番号７６によるアミノ酸配列を有するペプチドに特異的に結合する、請求項３に記載の抗体。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
動物もしくは鳥用食品であって、植物材料を含み、当該食品を摂食する動物の疾患の治療もしくは予防に用いられ、食品をバクテリオファージが共有結合的に付着した粒子を付着させるように処理することにより調製された、動物もしくは鳥用食品。
【請求項２】
前記食品がケーキまたはペレット状である、請求項１に記載の使用のための動物もしくは鳥用食品。
【請求項３】
前記粒子が、
（１）アミノまたはカルボキシ表面基を有するポリマー；または
（２）セルロースまたは他のヒドロキシル含有ポリマー
から構成されている、請求項１または２のいずれかに記載の使用のための動物もしくは鳥用食品。
【請求項４】
前記食品が、前記粒子を含む水性製剤を食品と組み合わせ、そして該食品を乾燥して該粒子に付着させることにより得られ得る、請求項１から３のいずれかに記載の使用のための動物もしくは鳥用食品。
【請求項５】
前記食品が、前記粒子を含む乾式調製を食品と組み合わせることにより得られ得る、請求項１から３のいずれかに記載の使用のための動物もしくは鳥用食品。
【請求項６】
植物材料であって、該植物材料を摂食する動物の疾患の治療もしくは予防に用いられ、該植物材料が、果実、野菜、葉、茎、花、根、塊茎および苗から選択され、該植物材料が、バクテリオファージが共有結合的に付着し、かつ乾燥により該植物材料に付着された粒子を含む、植物材料。
【請求項７】
バクテリオファージが共有結合で付着されている植物材料であって、該植物材料が、種子、根および塊茎から選択され、植物材料を活性化し、次いで活性化した植物材料にバクテリオファージを付着させることにより該バクテリオファージが該植物材料に付着され、そして該バクテリオファージが感染力を保持している、植物材料。
【請求項８】
消費用種子または種子ストックである、請求項７に記載の植物材料。
【請求項９】
前記種子がトマト種子である、請求項８に記載の植物材料。
【請求項１０】
植物疾患の予防または治療における使用のための、請求項７から９のいずれかに記載の植物材料。
【請求項１１】
前記植物材料を摂食する動物の疾患の予防または治療における使用のための、請求項７から９のいずれかに記載の植物材料。
【請求項１２】
消化管内での細菌感染の予防または治療における使用のための、請求項１１に記載の植物材料。
【請求項１３】
鳥類の疾患の予防または治療における使用のための、請求項１１または１２に記載の植物材料。
【請求項１４】
前記バクテリオファージが粒子に共有結合で付着され、かつ、該粒子が前記植物材料に共有結合で付着されている、請求項７から１３のいずれかに記載の植物材料。
【請求項１５】
植物材料を処理する方法であって、該植物材料が、種子、根および塊茎から選択され、該植物材料を活性化させる工程、および次いで該活性化植物材料に前記バクテリオファージを共有結合で付着させる工程を含み、該バクテリオファージが感染力を保持している、方法。
【請求項１６】
前記植物材料が消費用種子または種子ストックを含む、請求項１５に記載の方法。
【請求項１７】
前記バクテリオファージを粒子または複数粒子に共有結合で付着させる工程、および該粒子または該複数粒子を前記植物材料に共有結合で付着させる工程を含む、請求項１５または１６に記載の方法。
【請求項１８】
植物材料を摂食する動物の疾患の治療または予防における使用のための植物材料を処理する方法であって、該植物材料が、果実、野菜、葉、茎、花、根、塊茎、および苗から選択され、バクテリオファージが共有結合で付着された複数粒子の水性製剤を植物材料と接触させる工程、および該組み合わせを乾燥させて該複数粒子を該植物材料に付着させる工程を含む、方法。
【請求項１９】
請求項７から１４のいずれかに記載の植物材料を含む組成物。
【請求項２０】
（i）フィラメント、（ii）平面材料、ならびに（iii）粒子および／またはビーズから選択されるキャリアと該キャリアに共有結合で付着されたバクテリオファージとを含む組成物であって、深創傷における細菌感染の治療または予防に用いられ、該組成物は、次いで閉鎖される深創傷内に設置され、そして該バクテリオファージが感染力を保持している、組成物。
【請求項２１】
前記キャリアが、生分解性および／または生体適合性である、請求項２０に記載の使用のための組成物。
【請求項２２】
請求項２０から２１のいずれかに記載の使用のためのフィラメント。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
最適化ネコ白血病ウイルス(FeLV)エンベロープ(ENV)ポリペプチドをコードする第1ポリヌクレオチドおよびFeLV GAG/PROポリペプチドをコードする第2ポリヌクレオチドを含む発現ベクター、を含む組成物。
【請求項２】
最適化FeLV ENVポリペプチドが、FeLV ENVタンパク質のアミノ酸位置527または対応する等価なアミノ酸位置に変異を含む、請求項1に記載の組成物。
【請求項３】
変異が、グルタミン酸(E)のアルギニン(R)、アスパラギン酸(D)またはメチオニン(M)への置換を含む、請求項1または2に記載の組成物。
【請求項４】
ポリヌクレオチドが、配列番号2、4、6、27、28、29、30、31、32、33または34に記載の配列に少なくとも80%の配列同一性を有するFeLV ENVポリペプチドをコードし、前記ポリペプチドが、FeLV ENVタンパク質のアミノ酸位置527または対応する等価なアミノ酸位置に変異を含む、請求項1〜3のいずれか1項に記載の組成物。
【請求項５】
変異が、グルタミン酸(E)のアルギニン(R)、アスパラギン酸(D)またはメチオニン(M)への置換を含む、請求項4に記載の組成物。
【請求項６】
変異が、グルタミン酸(E)のアルギニン(R)への置換を含む、請求項5に記載の組成物。
【請求項７】
ポリヌクレオチドが、配列番号1、3または5に記載の配列に少なくとも70%の配列同一性を有する、請求項1〜6のいずれか1項に記載の組成物。
【請求項８】
ベクターが、FeLV ENVポリペプチドをコードする第1ポリヌクレオチドおよびFeLV GAG/PROポリペプチドをコードする第2ポリヌクレオチドを含む、請求項1〜7のいずれか1項に記載の組成物。
【請求項９】
第1ポリヌクレオチドが、配列番号2、4、6、27、28、29、30、31、32、33または34に記載の配列に少なくとも80%の配列同一性を有するFeLV ENVポリペプチドをコードし、前記ポリペプチドがFeLV ENVタンパク質のアミノ酸位置527または対応する等価なアミノ酸位置に変異を含み、第2ポリヌクレオチドが、配列番号12に記載の配列に少なくとも80%の配列同一性を有するFeLV GAG/PROポリペプチドをコードする、請求項8に記載の組成物。
【請求項１０】
第1ポリヌクレオチドが、配列番号2または4に記載のアミノ酸配列を有するFeLV ENVポリペプチドをコードし、第2ポリヌクレオチドが、配列番号12に記載のアミノ酸配列を有するFeLV GAG/PROポリペプチドをコードする、請求項8または9に記載の組成物。
【請求項１１】
FeLV ENVポリペプチドをコードするポリヌクレオチドが、配列番号1、3または5に記載の配列に少なくとも70%の配列同一性を有し、FeLV GAG/PROポリペプチドをコードするポリヌクレオチドが、配列番号10または11に記載の配列に少なくとも70%の配列同一性を有する、請求項8または9に記載の組成物。
【請求項１２】
発現ベクターがアビポックスベクターである、請求項1〜11のいずれか1項に記載の組成物。
【請求項１３】
組成物が、約105pfu〜約109pfuの投与量範囲で動物に投与される、請求項1〜12のいずれか1項に記載の組成物。
【請求項１４】
最適化FeLV ENVポリペプチドをコードする第1ポリヌクレオチドおよびFeLV GAG/PROポリペプチドをコードする第2ポリヌクレオチドを含む発現ベクター。
【請求項１５】
第1ポリヌクレオチドが、配列番号2、4、6、27、28、29、30、31、32、33または34に記載の配列に少なくとも80%の配列同一性を有するFeLV ENVポリペプチドをコードし、前記ポリペプチドが、FeLV ENVタンパク質のアミノ酸位置527または対応する等価なアミノ酸位置に変異を含み、第2ポリヌクレオチドが、配列番号12に記載の配列に少なくとも80%の配列同一性を有するFeLV GAG/PROポリペプチドをコードする、請求項14に記載の発現ベクター。
【請求項１６】
第1ポリヌクレオチドが、配列番号2または4に記載のアミノ酸配列を有するFeLV ENVポリペプチドをコードし、第2ポリヌクレオチドが、配列番号12に記載のアミノ酸配列を有するFeLV GAG/PROポリペプチドをコードする、請求項14または15に記載の発現ベクター。
【請求項１７】
FeLV ENVポリペプチドをコードするポリヌクレオチドが、配列番号1、3または5に記載の配列に少なくとも70%の配列同一性を有し、FeLV GAG/PROポリペプチドをコードするポリヌクレオチドが、配列番号10または11に記載の配列に少なくとも70%の配列同一性を有する、請求項14または15に記載の発現ベクター。
【請求項１８】
発現ベクターがアビポックスベクターである、請求項14〜17のいずれか1項に記載の発現ベクター。
【請求項１９】
動物にワクチン接種する方法であって、請求項1〜18のいずれか1項に記載の組成物または発現ベクターの少なくとも1回の投与を含む前記方法。
【請求項２０】
プライム・ブースト投与計画を含む、請求項19に記載の方法。
【請求項２１】
組成物が約105pfu〜約109pfuの投与量範囲で投与される、請求項19または20に記載の方法。
【請求項２２】
最適化FeLVポリペプチド、最適化FeLVポリペプチドの変種または断片、およびそれらの混合物からなる群から選択される1以上のポリペプチドをコードする1以上のポリヌクレオチドを含む発現ベクター、を含む組成物。
【請求項２３】
最適化FeLVポリペプチド、最適化FeLVポリペプチドの変種または断片、およびそれらの混合物からなる群から選択される1以上のポリペプチドをコードする1以上のポリヌクレオチドを含む発現ベクター。
【請求項２４】
プライム・ブーストワクチン接種のためのキットであって、プライムワクチン接種のための、請求項1〜18のいずれか1項に記載の組成物または発現ベクターを含む第1バイアルおよび、ブーストワクチン接種のための、請求項1〜18のいずれか1項に記載の組成物もしくは発現ベクターまたはサブユニットFeLVワクチンまたはプラスミドFeLVワクチンを含む第2バイアル、の少なくとも2つのバイアルを含む前記キット。
【請求項２５】
第1バイアルが請求項10に記載の組成物を含み、第2バイアルが請求項10に記載の組成物を含み、前記組成物が、約105pfu〜約109pfuの投与量範囲で投与される、請求項24に記載のキット。
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
インフラマソーム阻害剤、MyD88阻害剤、IL-18阻害剤、VDAC1阻害剤、VDAC2阻害剤、カスパーゼ-８阻害剤及びNFκB阻害剤の１つ以上を含んでなる、細胞を保護する組成物。
【請求項２】
細胞がRPE細胞、網膜光受容器、又は脈絡叢細胞である請求項１に記載の組成物。
【請求項３】
細胞がRPE細胞である請求項１又は２に記載の組成物。
【請求項４】
細胞がAlu-RNA誘導変性に対して保護される請求項１〜３のいずれか１項に記載の組成物。
【請求項５】
MyD88阻害剤を含んでなる請求項１〜４のいずれか１項に記載の組成物。
【請求項６】
阻害剤が配列番号１、54及び55の配列から選択されるポリペプチド配列を含んでなる請求項５に記載の組成物。
【請求項７】
阻害剤がMyD88の発現を阻害する二本鎖RNA分子であり、その少なくとも一方の鎖が配列番号３、４、５、６及び56から選択される配列を含む請求項５に記載の組成物。
【請求項８】
MyD88阻害剤がMyD88ホモ二量体化阻害剤である請求項５に記載の組成物。
【請求項９】
MyD88阻害剤がPepinh-MYD(Invitrogen)である請求項８に記載の組成物。
【請求項１０】
MyD88阻害剤がMyD88の優勢ネガティブ又はスプライス変異型である請求項５に記載の組成物。
【請求項１１】
MyD88阻害剤がエキソン２を欠いているMyD88スプライス変異型である請求項１０に記載の組成物。
【請求項１２】
MyD88阻害剤が表Ｃに記載のものから選択される請求項５に記載の組成物。
【請求項１３】
インフラマソーム阻害剤を含んでなる請求項１〜１２のいずれか１項に記載の組成物。
【請求項１４】
インフラマソーム阻害剤が表Ａに記載のものから選択される請求項１３に記載の組成物。
【請求項１５】
インフラマソーム阻害剤がNLRP3阻害剤及び/又はPYCARD阻害剤である請求項１３に記載の組成物。
【請求項１６】
インフラマソーム阻害剤が配列番号７〜16の配列から選択される配列を含んでなる請求項１３に記載の組成物。
【請求項１７】
インフラマソーム阻害剤がカスパーゼ-１の阻害剤である請求項１３に記載の組成物。
【請求項１８】
インフラマソーム阻害剤がカスパーゼ-１のペプチド阻害剤である請求項１７に記載の組成物。
【請求項１９】
カスパーゼ-１阻害剤が配列番号17の配列を含んでなる請求項１７又は１８に記載の組成物。
【請求項２０】
IL-18阻害剤を含んでなる請求項１〜１９のいずれか１項に記載の組成物。
【請求項２１】
IL-18阻害剤がIL-18に対する中和抗体である請求項２０に記載の組成物。
【請求項２２】
IL-18阻害剤がIL-18レセプターへのIL-18結合を遮断する抗体である請求項２０に記載の組成物。
【請求項２３】
IL-18阻害剤がIL-18結合性タンパク質である請求項２０に記載の組成物。
【請求項２４】
IL-18阻害剤が表Ｄに記載のものから選択される請求項２０に記載の組成物。
【請求項２５】
VDAC1阻害剤を含んでなる請求項１〜２４のいずれか１項に記載の組成物。
【請求項２６】
VDAC1阻害剤が配列番号47の配列を含んでなる請求項２５に記載の組成物。
【請求項２７】
VDAC2阻害剤を含んでなる請求項１〜２６のいずれか１項に記載の組成物。
【請求項２８】
VDAC2阻害剤が配列番号48の配列を含んでなる請求項２７に記載の組成物。
【請求項２９】
VDAC1又はVDAC2阻害剤が表Ｅに記載のものから選択される請求項２５又は２７に記載の組成物。
【請求項３０】
カスパーゼ-８阻害剤を含んでなる請求項１〜２９のいずれか１項に記載の組成物。
【請求項３１】
カスパーゼ-８阻害剤が表Ｆに記載のものから選択される請求項３０に記載の組成物。
【請求項３２】
NFkB阻害剤を含んでなる請求項１〜３１のいずれか１項に記載の組成物。
【請求項３３】
NFkB阻害剤が表Ｇに記載のものから選択される請求項３２に記載の組成物。
【請求項３４】
硝子体内注射；網膜下注射；胸膜上注射；テノン嚢下注射；球後注射；球周囲注射；局所的点眼適用；強膜に縫い付けられ若しくは付着され又は強膜上に配置され、又は硝子体液若しくは前眼房中に注入され、水晶体包若しくは水晶体嚢に埋め込まれた持続放出インプラントデバイスからの放出；経口投与；又は静脈内投与により投与される請求項１〜３３のいずれか１項に記載の組成物。
【請求項３５】
保護すべき細胞を有する対象者が地図状萎縮の治療を必要としている請求項１〜３４のいずれか１項に記載の組成物。
【請求項３６】
保護すべき細胞を有する対象者が加齢性黄斑変性を有する請求項１〜３５のいずれか１項に記載の組成物。
【請求項３７】
MyD88の発現を阻害する単離二本鎖RNA分子であって、二本鎖RNAの第１の鎖が配列番号３、４、５、６及び56から選択される配列を含んでなり、約11〜約27ヌクレオチドを含む、単離二本鎖RNA分子。
【請求項３８】
NLRP3及び/又はPYCARDび発現を阻害する単離二本鎖RNA分子であって、二本鎖RNAの第１の鎖が配列番号７〜14から選択される配列を含んでなり、約11〜約27ヌクレオチドを含む、単離二本鎖RNA分子。
【請求項３９】
配列番号15の配列を含んでなり、約11〜約27ヌクレオチドを含む、ピリンの発現を阻害する単離二本鎖RNA分子。
【請求項４０】
配列番号16の配列を含んでなり、約11〜約27ヌクレオチドを含む、NALP3の発現を阻害する単離二本鎖RNA分子。
【請求項４１】
配列番号17の配列を含んでなり、約11〜約27ヌクレオチドを含む、カスパーゼ-１の発現を阻害する単離された二本鎖RNA分子。
【請求項４２】
二本鎖RNAの第１の鎖が配列番号47及び48から選択される配列を含んでなり、約11〜約27ヌクレオチドを含む、VDAC1及び/又はVDAC2の発現を阻害する単離された二本鎖RNA分子。
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
トランザクショナルミドルウェアマシン環境においてディザスタリカバリをサポートするためのシステムであって、
トランザクションに関連付けられた１つ以上のトランザクショナルアプリケーションサーバを備え、前記１つ以上のトランザクショナルアプリケーションサーバは、トランザクションに関連付けられたトランザクショナルログ情報を、ローカルサイトの前記１つ以上のトランザクショナルアプリケーションサーバと接続するデータベースに永続化するように動作し、
データベースは、永続化されたトランザクショナルログ情報を、ローカルサイトのローカルデータベースサーバからリモートサイトのリモートデータベースサーバに複製し、災害がローカルサイトをディスエーブルにすると、リモートデータベースは、永続化されたトランザクショナルログ情報をリカバリし、トランザクションを完了することを、リモートサイトの異なるトランザクショナルアプリケーションサーバに許可するように動作する、システム。
【請求項２】
トランザクショナルミドルウェアマシン環境においてディザスタリカバリをサポートするための方法であって、
１つ以上のトランザクショナルアプリケーションサーバによって、トランザクションに関連付けられたトランザクショナルログ情報を、ローカルサイトの前記１つ以上のトラン
ザクショナルアプリケーションサーバに接続するデータベースに永続化することと、
データベースによって、永続化されたトランザクショナルログ情報を、ローカルサイトのローカルデータベースサーバからリモートサイトのリモートデータベースサーバに複製することと、
災害がローカルサイトをディスエーブルにすると、永続化されたトランザクショナルログ情報をリモートデータベースサーバからリカバリし、トランザクションを完了することを、リモートサイトの異なるトランザクショナルアプリケーションサーバに許可することとを含む、方法。
【請求項３】
前記ローカルデータベースサーバへの既存のデータベース接続を再使用することを、前記１つ以上のトランザクショナルアプリケーションサーバに許可することをさらに含む、請求項２に記載の方法。
【請求項４】
前記トランザクショナルログファイルにトランザクショナルログ情報を書込むことをさらに含む、請求項２または３に記載の方法。
【請求項５】
分散ファイルシステムにおいて前記トランザクショナルログファイルをサポートすることをさらに含む、請求項４に記載の方法。
【請求項６】
リカバリサイト上で前記トランザクショナルログファイル内のトランザクショナルログ情報を同期させることをさらに含む、請求項４または５に記載の方法。
【請求項７】
前記トランザクションが二段階トランザクションであることを許可することをさらに含む、請求項２から６のいずれかに記載の方法。
【請求項８】
前記二段階トランザクションの第１段階の実行が成功した後、トランザクショナルログ情報がトランザクションマネージャの永続化状態を含むことを許可することをさらに含む、請求項７に記載の方法。
【請求項９】
前記トランザクショナルログ情報が、トランザクショナルファイルシステムのマップに基づくことと、トランザクショナルログレコードにおいてトランザクショナルログ情報を維持することとを許可することをさらに含む、請求項２から８のいずれかに記載の方法。
【請求項１０】
グローバルトランザクションを用いて前記トランザクショナルファイルシステムのマップを作成し、トランザクションプロセスがブートされるとトランザクショナルログレコードを開くことをさらに含む、請求項９に記載の方法。
【請求項１１】
前記トランザクショナルログ情報が、複数のトランザクショナルドメインについての情報を含むことを許可することをさらに含む、請求項２から１０のいずれかに記載の方法。
【請求項１２】
請求項２から１１のいずれか１項に記載の方法を行なうためのプログラム。
【手続補正２】
【補正対象書類名】図面
【補正対象項目名】図４
【補正方法】変更
【補正の内容】
【図４】
2014528610.tif 000001
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
トランザクショナルミドルウェアマシン環境においてロックメカニズムをサポートするためのシステムであって、
複数のプロセッサ上で作動するオペレーティングシステムによって提供されるセマフォを備え、複数のプロセッサは共有メモリ中のデータにアクセスするように動作し、さらに、
１つ以上のプロセスに関連付けられるテストアンドセット（ＴＡＳ）アセンブリコンポーネントを備え、各前記プロセスは、共有メモリ中のデータについてのロックを取得するために、ＴＡＳアセンブリコンポーネントを用いて１回以上のＴＡＳオペレーションを行なうように動作し、
ＴＡＳコンポーネントが特定数のＴＡＳオペレーションを行ない、ロックの取得に失敗した後、プロセスは、セマフォ上でブロックされ、共有メモリ中のデータに対するロックの解除を待機するように動作する、システム。
【請求項２】
トランザクショナルミドルウェアマシン環境においてロックメカニズムをサポートする方法であって、
複数のプロセッサ上で作動するオペレーティングシステムに関連付けられたセマフォを提供することを備え、複数のプロセッサは、共有メモリ中のデータにアクセスするように
動作し、さらに、
共有メモリ中のデータについてのロックを取得するために、１つ以上のプロセスによって、テストアンドセット（ＴＡＳ）アセンブリコンポーネントを用いて１回以上のＴＡＳオペレーションを行なうことと、
ＴＡＳコンポーネントが特定数のＴＡＳオペレーションを行ない、ロックの取得に失敗した後に、プロセスによってセマフォ上でブロックし、共有メモリ中のデータに対するロックの解除を待機することを備える、方法。
【請求項３】
複数の同時トランザクションがある場合に、共有メモリ中のトランザクションデータを保護することをさらに備える、請求項２に記載の方法。
【請求項４】
ＴＡＳオペレーションの許容される特定最大回数であるスピンカウントを使用することをロックメカニズムに許可することをさらに備える、請求項２または３に記載の方法。
【請求項５】
メタデータにおいてスピンカウントをあらかじめ構成することをさらに備える、請求項４に記載の方法。
【請求項６】
ハードウェアコンフィギュレーションおよびアプリケーションシナリオの両方に基づいてスピンカウントを動的に決定することをさらに備える、請求項４に記載の方法。
【請求項７】
特殊なプロセスを用いてスピンカウントを周期的に決定することをさらに備える、請求項４に記載の方法。
【請求項８】
スピンカウントはアルゴリズムを用いて動的に決定され、アルゴリズムは、
先の期間のスピン失敗の回数がスピン失敗限度を越え、先の期間のＣＰＵアイドル比率がＣＰＵアイドル比率限度未満である場合、スピンカウントは先の期間のスピンカウントから増大され、
ＣＰＵアイドル比率がＣＰＵアイドル比率限度を越えた場合、スピンカウントは先の期間のスピンカウントから減少されることを特定する、請求項７に記載の方法。
【請求項９】
ＴＡＳオペレーションを特定回数試みた後でプロセスがデータに対するロックの取得に失敗した場合、スピン失敗が発生する、請求項８に記載の方法。
【請求項１０】
ロック所有者が覚醒してロックを解除する際に、セマフォを用いてロックを取得することをさらに備える、請求項２〜９のいずれか１項に記載の方法。
【請求項１１】
最適値を見つけるために、スピンカウントを手動で微調整することをさらに備える、請求項２から１０のいずれか１項に記載の方法。
【請求項１２】
請求項２〜１１のうちいずれか１項に記載の方法をコンピュータに行なわせる、プログラム。
【手続補正２】
【補正対象書類名】図面
【補正対象項目名】図３
【補正方法】変更
【補正の内容】
【図３】
2014528609.tif 000001